【事件の表示】
　特許第２７２９２０８号「ボール弁」の請求項１に係る特許に対する特許異議の申立てについて、次のとおり決定する。
【結論】
　訂正を認める。
　特許第２７２９２０８号の請求項１ないし４に係る特許を維持する。
【理由】
　　１．手続の経緯
　本件特許第２７２９２０８号に係る出願は、平成６年３月２５日に特許出願されたものであって、その特許請求の範囲の請求項１〜４に記載された発明は、同９年１２月１９日に設定登録された。その後、その特許請求の範囲の請求項１について特許異議の申立て、及び取消理由の通知がなされ、取消理由通知の指定期間内である同１１年２月８日に願書に添付した明細書について訂正請求がなされたものである。
　　２．訂正の要旨
　上記訂正請求は、本件特許明細書を訂正請求書に添付した訂正明細書のとおり訂正することを求めたものであるが、その要旨は次の▲１▼〜▲３▼のとおりである。
　▲１▼特許請求の範囲の請求項１の記載を、特許請求の範囲の減縮を目的として、
　「【請求項１】　中心を貫通する連通孔を備え回転することにより、入力ポートと出力ポートとを連通させ、入力ポートから出力ポートへ液体を通すボール弁体を有するボール弁において、
　前記入力ポートと前記出力ポートとの中心線が一致し、その中心線と略直角をなす中心線に設けられたエア抜きポートとサンプル採取ポートと、
　ボール弁本体内の前記入力ポート及び前記出力ポートの周辺に固定され、前記ボール弁体を保持する一対の弁シートと、
　ボール弁本体内の前記エア抜きポートに周辺に固定され、前記ボール弁体を保持して前記一対の弁シートとの間に閉空間をなすエア抜き弁シートと、
　ボール弁本体内の前記サンプリングポートの周辺に固定され、前記ボール弁体を保持して前記一対の弁シートとの間に閉空間をなすサンプリング弁シートとを有し、
　前記入力ポートから前記出力ポートへ液体を流している状態の後で、前記ボール弁体を回転させ前記連通孔により、前記エア抜きポートと前記サンプル採取ポートとを連通させ、前記連通孔内に蓄えられている前記液体を前記サンプル採取ポートから流出させることを特徴とするボール弁。」と訂正する。
　▲２▼段落番号【０００８】の記載を、明瞭でない記載の釈明を目的として、
「【課題を解決するための手段】
　上記目的を達成するために本発明のボール弁は、中心を貫通する連通孔を備え回転することにより、入力ポートと出力ポートとを連通させ、入力ポートから出力ポートへ液体を通すボール弁体を有するボール弁であって、入力ポートと出力ポートとの中心線が一致し、その中心線と略直角をなす中心線に設けられたエア抜きポートとサンプル採取ポートと、ボール弁本体内の前記入力ポート及び前記出力ポートの周辺に固定され、前記ボール弁体を保持する一対の弁シートと、ボール弁本体内の前記エア抜きポートに周辺に固定され、前記ボール弁体を保持して前記一対の弁シートとの間に閉空間をなすエア抜き弁シートと、ボール弁本体内の前記サンプリングポートの周辺に固定され、前記ボール弁体を保持して前記一対の弁シートとの間に閉空間をなすサンプリング弁シートとを有し、入力ポートから出力ポートへ液体を流している状態の後で、ボール弁体を回転させ連通孔により、エア抜きポートとサンプル採取ポートとを連通させ、連通孔内に蓄えられている液体をサンプル採取ポートから流出させることを特徴とする。」
と訂正する。
　▲３▼段落番号【０００９】の記載を、明瞭でない記載の釈明を目的として、
「また、本発明のボール弁は、中心を貫通する連通孔を備え回転することにより、入力ポートと出力ポートとを連通させ、入力ポートから出力ポートへ液体を通すボール弁体を有するボール弁であって、入力ポートと出力ポートとの中心線が一致し、その中心線と略直角をなす中心線に設けられたエア抜きポートとサンプル採取ポートを有し、ボール弁体が、（１）入力ポートと出力ポートとを連通させる全開状態と、（２）エア抜きポートとサンプル採取ポートとを連通させるサンプル採取状態と、（３）全開状態とサンプル採取状態との中間位置にあって、液体の流れが連通孔および弁内に滞留していた液体を洗い流す洗浄状態との各定位置を有すると共に、ボール弁体を回転させる電動機と、全開状態からサンプル採取状態にボール弁体を回転させる途中で、洗浄状態に所定時間、ボール弁体を停止させる電動機制御手段とを有することを特徴とする。
　また、上記ボール弁において、前記連通孔に所定量の前記液体を蓄えるために、連通孔の内部直径を出入口の直径より大きくしたことを特徴とする。
　また、上記ボール弁において、前記サンプル採取ポートの開口面積が前記エア抜きポートの開口面積より大きいことを特徴とする。」
と訂正する。
　　３．訂正の適否についての判断
　（あ）、訂正の目的、新規事項及び拡張・変更の存否
　（１）．上記▲１▼の訂正について
　上記▲１▼の訂正は、特許請求の範囲の請求項１において、
「ボール弁本体内の前記エア抜きポートの周辺に固定され、前記ボール弁体を保持するエア抜き弁シートと、
　ボール弁本体内の前記サンプリングポートの周辺に固定され、前記ボール弁体を保持するサンプリング弁シートとを有し、」を、
「ボール弁本体内の前記エア抜きポートに周辺に固定され、前記ボール弁体を保持して前記一対の弁シートとの間に閉空間をなすエア抜き弁シートと、
　ボール弁本体内の前記サンプリングポートの周辺に固定され、前記ボール弁体を保持して前記一対の弁シートとの間に閉空間をなすサンプリング弁シートとを有し、」と訂正することによって、構成要件を附加して構成を限定するものであり、特許請求の範囲の請求項１を減縮するものと認められる。
　そして、この▲１▼の訂正に関連する記載として、願書に添付した図１〜図６には、「ボール弁本体１９内の入力ポート１５及び出力ポート１６の周辺に固定され、ボール弁体１１を保持する一対の弁シート１７，１８、ボール弁本体１９内の前記エア抜きポート３３に周辺に固定され、前記ボール弁体１１を保持して前記一対の弁シート１７，１８との間に閉空間をなすエア抜き弁シート３５、及びボール弁本体１９内の前記サンプリングポート３４の周辺に固定され、前記ボール弁体１１を保持して前記一対の弁シート１７，１８との間に閉空間をなすサンプリング弁シート３６」が示されていると認められる。
　そうすると、上記▲１▼の訂正は、特許明細書及び図面に記載された事項の範囲内において、訂正したものであり、また、実質上特許請求の範囲を拡張又は変更するものではない。
　（２）．上記▲２▼の訂正について
　上記▲２▼の訂正は、上記▲１▼の訂正に伴って、特許請求の範囲の記載と整合させるために発明の詳細な説明を訂正するものであり、明瞭でない記載の釈明に相当する。そして、この訂正は、特許明細書に記載した事項の範囲内であり、又、実質上特許請求の範囲を拡張し又は変更するものではない。
　（３）．上記▲３▼の訂正について
　上記▲３▼の訂正は、特許請求の範囲の請求項２〜４の記載と整合させるために発明の詳細な説明を訂正するものであり、明瞭でない記載の釈明に相当する。そして、この訂正は、特許明細書に記載した事項の範囲内であり、又、実質上特許請求の範囲を拡張し又は変更するものではない。
　（い）、独立特許要件について
　（１）．上記平成１１年２月８日付け訂正請求書に添付された訂正明細書の特許請求の範囲請求項１に係る発明（以下「本件発明」という。）は、同訂正明細書の記載からみて、その特許請求の範囲の請求項１に記載されたとおりのものと認める。
　（２）．これに対して、当審で通知した取消理由で引用した刊行物１（実公平２−１７３２４号公報・特許異議申立の理由に引用された甲第１号証）には、以下の事項が記載されている。
　第１頁右欄第１２行〜第２頁左欄第７行中に「しかしながら、このような従来の採取液体の排出装置にあっては、液体の粘度が高い場合は試料通路に入った試料をボール弁を９０°回転して自重によって自由落下させるものであるから、試料が試料通路の側壁に付着するため仲々落下せず、時間を要し、不正確であると共に作業能率が悪く、あるいは液体の種類によっては空気と接触して性能が変化するといった問題点があった。また、試料通路内にピストンを挿入し、試料を排出する装置が既に公知であるが、この装置にあっては液体がＣＯＭのような場合、固形物がピストンに噛み込むとか、或いは摩耗しやすいとかいった問題点があった。
この考案は、このような問題点に着目してなされたもので、ボール弁の試料通路の流入口近傍には中央噴出口とこれに連通した周辺噴出口とを備えた気体圧導入口を設け、不活性ガスなどの気体を高圧で噴出することにより高粘度液体をボール弁の試料通路から完全に排出し、採取精度を向上させ、前記問題点を解決することを目的としている。」、
　第２頁左欄第１７〜３０行中に「粘度の高い液体はボール弁が第２図の位置にある時、液体配送管９の第１の流入口１４から試料通路２内に流入し、第１の流出口１５から流出している。そして試料を採取するときは、ボール弁１を９０°回転させて第１図の位置にする。液体が試料通路２外に漏洩しないようにシールパッキン７が設けてある。第１図の位置にボール弁１がある時、試料通路２内の高粘度液体は自重により自由落下し、第２の流出口１６へ流出するが高粘度の為仲々落下せず、時間を要し不正確でもあるで、それを付勢する為にボール弁主体１０に穿設した第２の流入口５より不活性ガスなどの気体を加圧して導入し、それを噴出するコマ３を設ける。」、
　第２頁右欄第１３〜１５行中に「なお、試料が空気に触れて変質しない場合には、不活性ガスに替えて、空気を用いればよいことは云うまでもない。」、
　第２頁右欄第１７〜２４行中に「この考案は、中央噴出口とこれに連通した周辺噴出口とを備えた不活性ガス等の気体を噴出するコマを、ボール弁内の試料通路の垂直時の位置に対応して、ボール弁主体内に設けたので、高粘度液体を極めて円滑に、かつ速やかに試料採取容器内に採取することができ、また不活性ガスを使用した場合には試料に悪影響を及ぼすこともないという効果がある。」
　そして、上記記載及び図面の記載を併せて見ると、刊行物１には、
　「中心を貫通する試料通路２を備え回転することにより、第１の流入口１４と第１の流出口１５とを連通させ、第１の流入口１４から第１の流出口１５へ液体を通すボール弁１を有する液体試料排出装置において、
　前記第１の流入口１４と前記第１の流出口１５との中心線が一致し、その中心線と略直角をなす中心線に設けられた第２の流入口５と第２の流出口１６とを有し、
　前記第１の流入口１４から第１の流出口１５へ液体を流している状態の後で、前記ボール弁１を回転させ前記試料通路２により、前記第２の流入口５と前記第２の流出口１６とを連通させ、前記第２の流入口５から空気を供給して、前記試料通路２内に蓄えられている前記液体を前記第２の流出口１６から流出させるボール弁。」
が記載されていると認められる。
　（３）．同刊行物２（実願昭４９−８８１２５号（実開昭５１−１６２３５号）の願書に添付した明細書及び図面の内容を撮影したマイクロフィルム・特許異議申立の理由に引用され、従来周知の技術を示すものとして引用された刊行物）には、以下の事項が記載されている。
　第１頁第１７〜２０行中に「また輸送流体がスラリーの場合には、弁室内にスラリーの固形物がたまり、弁体に付着し弁の開閉操作が不良になり無理をすれば弁座を傷つけて漏洩の原因ともなる。」、
　第２頁第９〜２０中に「図中１は弁の本体、２は輸送流体の流入口、３は輸送流体の流出口、４は弁室、５は弁室４内で所望のままに回転運動できるようにされた球状の弁体、６は弁座、７は弁室４内の滞留物を洗い流すための流体状媒体を導入する管、８は上記媒体を弁室４から取出すための導出管で、管７及び８は夫々弁室４に通じている。
　ボール弁においては、第２図に示す閉弁時に輸送中の流体が弁室内に入り、弁体５が弁軸によって約９０度矢印Ａ又は矢印Ｂの方向に回転されて第１図に示す開弁状態にされるとき、弁室４内の輸送流体はそのまま取り残される。」
　そして、上記記載、及び第１，２図の記載を併せて見ると、刊行物２には、
　「中心を貫通する連通孔９を備え回転することにより、流入口２と流出口３とを連通させ、流入口２から流出口３へ液体を通す弁体５を有するボール弁において、
　前記流入口２と前記流出口３との中心線が一致し、その中心線と略直角をなす中心線に設けられた管７と導出管８と、
　本体１内の前記流入口２と前記流出口３の周辺に固定され、前記弁体５を保持する一対の弁座６とを有し、
　前記流入口２から前記流出口３へ液体を流している状態の後で、前記弁体５を回転させ前記連通孔９により、前記管７と前記導出管８とを連通させ、前記連通孔９内に蓄えられている前記液体を前記導出管８から流出させるボール弁。」
が記載されていると認められる。
　（４）．対比・判断
　（４−１）．本件発明と、刊行物１に記載された発明とを対比すると、
　上記刊行物１に記載された発明の「試料通路２」、「第１の流入口１４」、「第１の流出口１５」、「ボール弁１」、「液体試料排出装置」、「第２の流入口５」、「第２の流出口１６」は、それぞれ本件発明の「連通孔」、「入力ポート」、「出力ポート」、「ボール弁体」、「ボール弁」、「エア抜きポート」、「サンプル採取ポート」に相当する
　したがって、両者は、
　「中心を貫通する連通孔を備え回転することにより、入力ポートと出力ポートとを連通させ、入力ポートから出力ポートへ液体を通すボール弁体を有するボール弁において、
　前記入力ポートと前記出力ポートとの中心線が一致し、その中心線と略直角をなす中心線に設けられたエア抜きポートとサンプル採取ポートとを有し、
　前記入力ポートから前記出力ポートへ液体を流している状態の後で、前記ボール弁体を回転させ前記連通孔により、前記エア抜きポートと前記サンプル採取ポートとを連通させ、前記連通孔内に蓄えられている前記液体を前記サンプル採取ポートから流出させるボール弁。」
の点で一致するものの、
　上記刊行物１に記載された発明は、本件発明の構成に欠くことのできない事項である▲１▼「ボール弁本体内の前記入力ポート及び前記出力ポートの周辺に固定され、前記ボール弁体を保持する一対の弁シート」、▲２▼「ボール弁本体内の前記エア抜きポートの周辺に固定され、前記ボール弁体を保持して前記一対の弁シートとの間に閉空間をなすエア抜き弁シート」、及び▲３▼「ボール弁本体内の前記サンプリングポートの周辺に固定され、前記ボール弁体を保持して前記一対の弁シートとの間に閉空間をなすサンプリング弁シート」を備えていない点で相違する。
　（４−２）．本件発明と、刊行物２に記載されたものとを対比すると、
　上記刊行物２に記載されたものの「連通孔９」、「流入口２」、「流出口３」、「弁体５」、「管７」、「導出管８」、「本体１」、「弁座６」は、それぞれ本件発明の「連通孔」、「入力ポート」、「出力ポート」、「ボール弁体」、「エア抜きポート」、「サンプル採取」、「ボール弁本体」、「弁シート」に相当する。
　したがって、上記刊行物２に記載されたものと、本件発明とは、
　「中心を貫通する連通孔を備え回転することにより、入力ポートと出力ポートとを連通させ、入力ポートから出力ポートへ液体を通すボール弁体を有するボール弁において、
　前記入力ポートと前記出力ポートとの中心線が一致し、その中心線と略直角をなす中心線に設けられた一対の第３、第４ポートと、
　ボール弁本体内の前記入力ポート及び前記出力ポートの周辺に固定され、前記ボール弁体を保持する一対の弁シートとを有し、
　前記入力ポートから前記出力ポートへ輸送流体を流している状態の後で、前記ボール弁体を回転させ前記連通孔により、前記一対の第３、第４ポートを連通させ、前記連通孔内に残った前記液体を前記第４ポートから流出させるボール弁。」
の点で共通しているものの、
　上記刊行物２に記載されたものは、本件発明の構成に欠くことのできない事項である▲１▼「ボール弁本体内のエア抜きポートの周辺に固定され、ボール弁体を保持して、入力ポート及び出力ポートの周辺に固定された一対の弁シートとの間に閉空間をなすエア抜き弁シート」、▲２▼「ボール弁本体内の前記サンプリングポートの周辺に固定され、前記ボール弁体を保持して前記一対の弁シートとの間に閉空間をなすサンプリング弁シート」を備えていない点、▲３▼一対の第３、第４ポートの役割が、本件発明では、その一方はエア抜きであり他方はサンプル採取であるのに対して、刊行物２に記載されたものは、その一方が洗い流し媒体の流入であり他方は該媒体の取出しであって、これら第３、第４ポートの役割が一致していない点、で本件発明と相違している。
　（４−３）．そして、上記刊行物１に記載された発明に、上記刊行物２に記載されたものを適用したとしても、本件請求項１に係る発明の構成に欠くことのできない事項であるａ．「ボール弁本体内の前記エア抜きポートの周辺に固定され、前記ボール弁体を保持して前記一対の弁シートとの間に閉空間をなすエア抜き弁シート」、及びｂ．「ボール弁本体内の前記サンプリングポートの周辺に固定され、前記ボール弁体を保持して前記一対の弁シートとの間に閉空間をなすサンプリング弁シート」の構成を備えない点で本件発明と相違する。また、ボール弁のポートに対応して弁シートを設けるものであって、ボール弁体内のポート周辺に固定して、ボール弁体を保持する弁シートが、本件特許の出願前周知であるとしても、上記ａ．ｂ．の構成が、本件特許の出願前周知の事項とも認められない。
　そして、本件発明は、上記ａ．ｂ．の構成により、「ボール弁体１１の回転摺動抵抗を大きくしない」、及び「弁内に滞留していた汚水を洗い流すことでき、人手を介せずに新鮮な汚水を採取することができる。」等の明細書に記載された作用効果を期待できるものである。
　（う）、訂正の適否についての判断結果
　上記（あ）〜（い）に示すとおりであるから、本件訂正請求は、特許法第１２０条の４第２項及び同条第３項で準用する第１２６条第２項乃至第４項の規定に適合するものであり、当該訂正を認める。
　　４．特許異議の申立ての判断
　（あ）、本件発明
　本件特許第２７２９２０８号の請求項１に係る発明（以下「本件発明」という。）は、前記訂正請求書に添付された訂正明細書の特許請求の範囲の請求項１に記載されたとおりのものと認める。
　（い）、申立ての理由の概要・判断
　特許異議申立人は、上記刊行物１を甲第１号証として提出し、ボール弁のポートに対応して弁シートを設けるものであって、ボール弁本体内のポート周辺に固定して、ボール弁体を保持する弁シートは、例えば上記刊行物２等に示されるように、本件特許の出願前従来周知の技術であり、本件発明は、刊行物１に記載された発明に、上記周知の技術を適用して、当業者が容易に発明をすることができたものであるから、本件発明は、特許法第２９条第２項の規定に違反して特許されたものであり、その特許は取り消されるべきものであると、主張している。
　これに対して、本件発明は、前記「３．訂正の適否についての判断」の「（い）、独立特許要件の判断」において検討したとおり、特許異議申立人が提出した上記刊行物１に記載された発明と同一とすることもできないし、ボール弁のポートに対応して弁シートを設けるものであって、ボール弁本体内のポート周辺に固定して、ボール弁体を保持する弁シートが、上記刊行物２等により、本件出願前に周知であっても、上記刊行物１に記載された発明に基づいて、当業者が容易に発明をすることができたものとすることもできない。
　　５．むすび
　以上のとおりであるから、本件訂正請求は合法になされたものであり、特許異議申立人が主張する理由及び提出した証拠によっては、本件請求項１に係る発明についての特許を取り消すことはできない。
　また、他に本件請求項１に係る発明についての特許を取り消すべき理由を発見しない。
　よって、結論のとおり決定する。
【異議決定日】
平成１１年１０月７日（１９９９．１０．７）
【訂正の要旨】
　訂正事項▲１▼
　特許請求の範囲の請求項１を、特許請求の範囲の減縮を目的として、
「【請求項１】　中心を貫通する連通孔を備え回転することにより、入力ポートと出力ポートとを連通させ、入力ポートから出力ポートへ液体を通すボール弁体を有するボール弁において、
　前記入力ポートと前記出力ポートとの中心線が一致し、その中心線と略直角をなす中心線に設けられたエア抜きポートとサンプル採取ポートと、
　ボール弁本体内の前記入力ポート及び前記出力ポートの周辺に固定され、前記ボール弁体を保持する一対の弁シートと、
　ボール弁本体内の前記エア抜きポートに周辺に固定され、前記ボール弁体を保持して前記一対の弁シートとの間に閉空間をなすエア抜き弁シートと、
　ボール弁本体内の前記サンプリングポートの周辺に固定され、前記ボール弁体を保持して前記一対の弁シートとの間に閉空間をなすサンプリング弁シートとを有し、
　前記入力ポートから前記出力ポートへ液体を流している状態の後で、前記ボール弁体を回転させ前記連通孔により、前記エア抜きポートと前記サンプル採取ポートとを連通させ、前記連通孔内に蓄えられている前記液体を前記サンプル採取ポートから流出させることを特徴とするボール弁。」
と訂正する。
　訂正事項▲２▼
　段落番号【０００８】の記載を、明瞭でない記載の釈明を目的として、
「【課題を解決するための手段】
　上記目的を達成するために本発明のボール弁は、中心を貫通する連通孔を備え回転することにより、入力ポートと出力ポートとを連通させ、入力ポートから出力ポートへ液体を通すボール弁体を有するボール弁であって、入力ポートと出力ポートとの中心線が一致し、その中心線と略直角をなす中心線に設けられたエア抜きポートとサンプル採取ポートと、ボール弁本体内の前記入力ポート及び前記出力ポートの周辺に固定され、前記ボール弁体を保持する一対の弁シートと、ボール弁本体内の前記エア抜きポートに周辺に固定され、前記ボール弁体を保持して前記一対の弁シートとの間に閉空間をなすエア抜き弁シートと、ボール弁本体内の前記サンプリングポートの周辺に固定され、前記ボール弁体を保持して前記一対の弁シートとの間に閉空間をなすサンプリング弁シートとを有し、入力ポートから出力ポートへ液体を流している状態の後で、ボール弁体を回転させ連通孔により、エア抜きポートとサンプル採取ポートとを連通させ、連通孔内に蓄えられている液体をサンプル採取ポートから流出させることを特徴とする。」
と訂正する。
　訂正事項▲３▼
　段落番号【０００９】の記載を、明瞭でない記載の釈明を目的として、
「また、本発明のボール弁は、中心を貫通する連通孔を備え回転することにより、入力ポートと出力ポートとを連通させ、入力ポートから出力ポートへ液体を通すボール弁体を有するボール弁であって、入力ポートと出力ポートとの中心線が一致し、その中心線と略直角をなす中心線に設けられたエア抜きポートとサンプル採取ポートを有し、ボール弁体が、（１）入力ポートと出力ポートとを連通させる全開状態と、（２）エア抜きポートとサンプル採取ポートとを連通させるサンプル採取状態と、（３）全開状態とサンプル採取状態との中間位置にあって、液体の流れが連通孔および弁内に滞留していた液体を洗い流す洗浄状態との各定位置を有すると共に、ボール弁体を回転させる電動機と、全開状態からサンプル採取状態にボール弁体を回転させる途中で、洗浄状態に所定時間、ボール弁体を停止させる電動機制御手段とを有することを特徴とする。
　また、上記ボール弁において、前記連通孔に所定量の前記液体を蓄えるために、連通孔の内部直径を出入口の直径より大きくしたことを特徴とする。
　また、上記ボール弁において、前記サンプル採取ポートの開口面積が前記エア抜きポートの開口面積より大きいことを特徴とする。」
（５４）【発明の名称】
ボール弁
（５７）【特許請求の範囲】
　　【請求項１】　中心を貫通する連通孔を備え回転することにより、入力ポートと出力ポートとを連通させ、入力ポートから出力ポートへ液体を通すボール弁体を有するボール弁において、
　前記入力ポートと前記出力ポートとの中心線が一致し、その中心線と略直角をなす中心線に設けられたエア抜きポートとサンプル採取ポートと、
　ボール弁本体内の前記入力ポート及び前記出力ポートの周辺に固定され、前記ボール弁体を保持する一対の弁シートと、
　ボール弁本体内の前記エア抜きポートの周辺に固定され、前記ボール弁体を保持
して前記一対の弁シートとの間に閉空間をなす
　ボール弁本体内の前記サンプリングポートの周辺に固定され、前記ボール弁体を保持
して前記一対の弁シートとの間に閉空間をなす
　前記入力ポートから前記出力ポートへ液体を流している状態の後で、前記ボール弁体を回転させ前記連通孔により、前記エア抜きポートと前記サンプル採取ポートとを連通させ、前記連通孔内に蓄えられている前記液体を前記サンプル採取ポートから流出させることを特徴とするボール弁。
　　【請求項２】　請求項１に記載するボール弁において、
　前記ボール弁体が、（１）前記入力ポートと前記出力ポートとを連通させる全開状態と、（２）前記エア抜きポートと前記サンプル採取ポートとを連通させるサンプル採取状態と、（３）前記全開状態と前記サンプル採取状態との中間位置にあって、前記液体の流れが連通孔および弁内に滞留していた液体を洗い流す洗浄状態との各定位置を有すると共に、
　前記ボール弁体を回転させる電動機と、
　前記全開状態から前記サンプル採取状態に前記ボール弁体を回転させる途中で、前記洗浄状態に所定時間、前記ボール弁体を停止させる電動機制御手段とを有することを特徴とするボール弁。
　　【請求項３】　請求項１または請求項２に記載するボール弁において、
　前記連通孔に所定量の前記液体を蓄えるために、前記連通孔の内部直径を出入口の直径より大きくしたことを特徴とするボール弁。
　　【請求項４】　請求項１及至請求項３に記載するボール弁において、
　前記サンプル採取ポートの開口面積が前記エア抜きポートの開口面積より大きいことを特徴とするボール弁。
【発明の詳細な説明】
　　　【０００１】
　　【産業上の利用分野】
　本発明は、定期的な検査を行うため、流体を所定量サンプリングするためのボール弁に関するものである。
　　　【０００２】
　　【従来の技術】
　汚水や廃水等を流す配管系においては、定期的に流体を一定量サンプリングして、異常がないか否か分析し検査することが行われている。
　ここで従来のサンプリング装置を図８に示す。汚水の配管系の一部にＴ字配管１０４を設け、Ｔ字の上流管１０６に上流コック弁１０１、下流管１０７に下流コック弁１０２、サンプリング管１０５にサンプリングコック弁１０８を配設している。各コック弁は、取っ手を９０度回転させることにより全閉状態となる構造の開閉弁である。
　　　【０００３】
　次に、図８の装置で一定量の汚水をサンプリングする手順を説明する。通常は、サンプリングコック弁１０３が全閉状態で、上流コック弁１０１及び下流コック弁１０２が全開状態であって、汚水は上流管１０６から下流管１０７へ流れている。
　始めに、流体を下流コック弁１０２で遮断し、続いて上流コック弁１０１を遮断した後、他端に開放口１０８を備えるサンプリングコック弁１０３を開いて、Ｔ字配管１０４の上流コック弁１０１、下流コック弁１０２、およびサンプリングコック弁１０３の配管内部に蓄えられている汚水を、開放口１０８より採取していた。
　　　【０００４】
　　【発明が解決しようとする課題】
　しかしながら、従来のサンプリング装置には、次のような問題があった。
（１）従来のサンプリング装置では、サンプリング管１０５を短くするのに限度があり、サンプリングコック弁１０８を閉じて、上流コック弁１０１と下流コック弁１０２とを開いて汚水を通常の状態で流しているときに、サンプリング管１０５内に汚水が滞留してしまう。
　一方、汚水等が滞留した場合、汚水に含まれているバクテリア等により有機物が変化するため、滞留した汚水をサンプリングしたのでは、検査データが実際に流れている汚水と異なってしまい問題であった。
　そのため、従来は、サンプリングコック弁１０８を開いた後、少し汚水を捨ててからサンプリング用の汚水を採取することが行われていたが、人が行っているため、滞留していた汚水が混じらない保証はなかった。
　　　【０００５】
（２）また、汚水検査は、一定量をメスシリンダー等で正確に計測した後行われるが、サンプリングする汚水の量は、その一定量より少し多めでほぼ一定量であることが望ましい。
　しかし、従来の方法では、サンプリングされる汚水の量は多すぎて、残った汚水の量が多く、その処理等に余分の手間がかかる問題があった。ここで、サンプリングする汚水の量を多めにしているのは、汚水の量が少ないと、もう一度サンプリングをやり直す必要があるからである。
　　　【０００６】
（３）汚水を定期的にサンプリングすることは人手を要し、特に汚水が臭く汚いため人手の確保が容易でなかった。
　そのため、サンプリングの自動化が望まれているが、コックの代わりに電磁弁を配設すると、３個の電磁弁を使用することになり、コストアップとなる問題があった。
　　　【０００７】
　本発明は、従来技術に係る上記問題を解決すると共に、弁内に滞留した汚水を洗い流して新鮮な汚水のみを一定量採取可能なサンプリング用のボール弁を提供することを目的とする。
　　　【０００８】
　　【課題を解決するための手段】
　上記目的を達成するために本発明のボール弁は、中心を貫通する連通孔を備え回転することにより、入力ポートと出力ポートとを連通させ、入力ポートから出力ポートへ液体を通すボール弁体を有するボール弁であって、入力ポートと出力ポートとの中心線が一致し、その中心線と略直角をなす中心線に設けられたエア抜きポートとサンプル採取ポート
と、ボール弁本体内の前記入力ポート及び前記出力ポートの周辺に固定され、前記ボール弁体を保持する一対の弁シートと、ボール弁本体内の前記エア抜きポートの周辺に固定され、前記ボール弁体を保持して前記一対の弁シートとの間に閉空間をなすエア抜き弁シートと、ボール弁本体内の前記サンプリングポートの周辺に固定され、前記ボール弁体を保持して前記一対の弁シートとの間に閉空間をなすサンプリング弁シートとを有し、
　　　【０００９】
　また、
本発明のボール弁は、中心を貫通する連通孔を備え回転することにより、入力ポートと出力ポートとを連通させ、入力ポートから出力ポートへ液体を通すボール弁体を有するボール弁であって、入力ポートと出力ポートとの中心線が一致し、その中心線と略直角をなす中心線に設けられたエア抜きポートとサンプル採取ポートを有し、
　また、上記ボール弁において、前記連通孔に所定量の前記液体を蓄えるために、連通孔の内部直径を出入口の直径より大きくしたことを特徴とする。
　また、上記ボール弁において、前記サンプル採取ポートの開口面積が前記エア抜きポートの開口面積より大きいことを特徴とする。
　　　【００１０】
　　【作用】
　上記構成を有する本発明のボール弁に回転可能に支持されるボール弁体は、中心を貫通する連通孔を備え回転することにより、入力ポートと出力ポートとを連通させ、入力ポートから出力ポートへ液体を通す。また、ボール弁体は、略９０度回転されることにより、入力ポートと出力ポートとの中心線と略直角をなす中心線に設けられたエア抜きポートとサンプル採取ポートを連通させる。
　通常入力ポートから出力ポートへと流れている汚水等の液体を定期的に所定量サンプリングするために、入力ポートから出力ポートへ液体を流している状態の後で、ボール弁体を回転させ連通孔により、エア抜きポートとサンプル採取ポートとを連通させ、連通孔内に蓄えられている液体をサンプル採取ポートから流出させる。
　ここで、連通孔の内部直径が出入口の直径より大きされているので、任意の所定量の前記液体を蓄えるために、内部直径を設計すれば良い。これにより、任意の一定量の液体を容易にサンプリングすることができる。
　　　【００１１】
　また、滞留する箇所がほとんど無いため、新鮮な汚水等をサンプリングすることが可能である。
　さらに、ボール弁体が、（１）入力ポートと出力ポートとを連通させる全開状態と、（２）エア抜きポートとサンプル採取ポートとを連通させるサンプル採取状態と、（３）全開状態とサンプル採取状態との中間位置にあって、液体の流れが連通孔および弁内に滞留していた液体を洗い流す洗浄状態との各定位置を有している。そして、電動機制御手段が、ボール弁体を回転させる電動機を、全開状態からサンプル採取状態にボール弁体を回転させる途中で、洗浄状態に所定時間、ボール弁体を停止させているので、わずかな隙間に滞留している汚水等も洗浄状態で洗い流されるため、サンプリングされる汚水等を常に新鮮なものとすることができる。
　ここで、サンプル採取ポートの開口面積がエア抜きポートの開口面積より大きいので、サンプリングするときに、汚水等が落下するときに空気を巻き込むことが少なく、汚水等を速やかに落下させることができる。
　　　【００１２】
　　【実施例】
　以下、本発明のボール弁を具現化した一実施例を、図面を参照しつつ説明する。
　図１に、本実施例に係るボール弁の全体構成を示す断面図を示す。ボール弁は、大きくは、下に位置する弁部と上に位置する弁駆動部とに分かれている。
　先に、弁部の構成を説明する。弁部のＡＡ断面を図２に示す。弁部の中心に球形のボール弁体１１が、四フッ化エチレン樹脂製の弁シート１７，１８、エア抜きシート３５、およびサンプリングシート３４により回転可能に保持されている。ボール弁体１１には、中心を貫通して連通孔１２が形成されている。連通孔１２は、両端の開口の直径がＮであり、中心部の直径がＭであり、ＭがＮより大きく形成され、中心部が端部より断面積が大きくなっている。
　ボール弁体１１の真下部には、回転孔１４が形成され、弁本体１９に固設された回転軸３７と回転可能に嵌合されている。ボール弁体１１の真上部には、キー溝１３が形成され、回転伝達軸２０の下端のキー部が嵌合している。
　　　【００１３】
　弁本体１９の左側には入力ポート１５が開口している。弁本体１９の右側には、入力ポート１５の中心線と同軸上に出力ポート１６が開口している。
　また、図２に示すように、入力ポート１５と出力ポート１６の中心線と直角をなし、ボール弁体１１の中心を通る中心線上に、エア抜きポート３３及びサンプル採取ポート３４が形成されている。ここで、サンプル採取ポート３４でボール弁体１１を支持しているサンプリングシート３６に穿設されたサンプリングシート孔３６ａの直径は、エア抜きポート３３でボール弁体１１を支持しているエア抜きシート３５に穿設されたエア抜きシート孔３５ａの直径より大きくしている。
　　　【００１４】
　図１および図２は、連通孔１２の中心線が、入力ポート１５及び出力ポート１６の中心線と一直線上にあり、入力ポート１５と出力ポート１６とが完全に連通し、エア抜きポート３３とサンプル採取ポート３４とが完全に遮断された全開状態を示している。
　弁シート１７，１８、エア抜きシート３５、及びサンプリングシート３６は、弁本体１９に固設されている。弁シート１７，１８、エア抜きシート３５、及びサンプリングシート３６を別体としているのは、ボール弁体１１の回転摺動抵抗が大きくしないため、シートとボール弁体１１との接触面積を小さくするためである。
　　　【００１５】
　次に、回転駆動部について説明する。モータ２４の出力軸は、一連の減速歯車２３を介して、出力軸２１に固設されている最終歯車２２に動力を伝達する。出力軸の上端部には、３個のタイミングカム２５，２６，２７が取り付けられている。タイミングカム２５，２６，２７の対応する位置に、マイクロスイッチであってボール弁体１１の全開状態位置を検出する全開スイッチ２８，洗浄状態位置を検出する洗浄スイッチ２９，及びサンプル採取状態位置を検出するサンプル採取スイッチ３０が付設されている。これらの回転駆動部は、ケース３１により覆われている。出力軸２１は、軸継手３２により回転伝達軸２０と接続されている。
　　　【００１６】
　次に、ボール弁体１１を回転させるモータ２４を制御する制御回路を図７に示す。モータ２４には、全開スイッチ２８、洗浄スイッチ２９、及びサンプル採取スイッチ３０が接続されている。全開スイッチ２８は、ボール弁体１１が図２に示す全開状態位置にあることを検出している。
　全開状態では、入力ポート１５と出力ポート１６とが完全に連通し、エア抜きポート３３とサンプル採取ポート３４とが完全に遮断されている。
　また、洗浄スイッチ２９は、ボール弁体１１が図３に示す洗浄状態位置にあることを検出している。ここで、図３のボール弁体１１は、図２に示す全開状態から時計廻りに３０度回転した位置である。洗浄状態では、連通孔１２がちょうど弁シート１７，１８の角部にあって、入力ポート１５と出力ポート１６とが半分程度連通し、また、連通孔１２は弁本体１９の隙間Ａにも連通している。
　　　【００１７】
　また、サンプル採取スイッチ３０は、ボール弁体１１が図６に示すサンプル採取状態位置にあることを検出している。サンプル採取状態では、入力ポート１５と出力ポート１６とが完全に遮断され、エア抜きポート３３とサンプル採取ポート３４とが完全に連通されている。
　また、スイッチＳＷ１，ＳＷ２は、図示しない中央制御装置よりモータ２４を制御する信号を受けて動作するリレースイッチである。その動作は後で説明する。
　　　【００１８】
　次に、上記構成を有するボール弁の作用を説明する。
　通常は、ボール弁体１１は図２に示す全開状態にあり、スイッチＳＷ１及びスイッチＳＷ２は、共にＮＯに接続している。そして、全開スイッチ２８が２８ｂと接続している。これにより、全開状態を示す全開ランプＬ１が点灯している。この状態では、ボール弁体１１内にある隙間Ａに汚水が滞留し、バクテリアが繁殖している可能性がある。
　　　【００１９】
　次に、定期的な汚水のサンプリング方法を説明する。本実施例の水質検査装置では、１時間おきに汚水をサンプリングしている。スイッチＳＷ１がＮＣへ切り替えられると、モータ２４が時計廻りに回転する。そして、ボール弁体１１が図３に示す洗浄状態位置にきたとき、洗浄スイッチ２９が２９ｂから２９ａへ切り替わる。これにより、モータ２４が停止する。このとき、全開ランプＬ１及びサンプル採取ランプＬ２は共に消灯している。
　モータ２４は、この洗浄状態で１０秒間停止する。洗浄状態においては、図３に示すように、入力ポート１５から流れ込む汚水が、隙間Ａ内に滞留していた汚水を、連通孔１２を通って出力ポート１６へ洗い流す。１０秒後には、滞留していた汚水がなくなり、連通孔１２に流れる汚水はすべて新鮮なものとなる。
　　　【００２０】
　次に、１０秒間の洗浄状態が終了すると、スイッチＳＷ１及びスイッチＳＷ２が共にＮＣに接続され、モータ２４が時計廻りに回転する。そして、図４の状態、及び図５の状態を経て、ボール弁体１１が図６に示すサンプル採取状態位置にきたとき、サンプル採取スイッチ３０が３０ｂから３０ａへ切り替わる。これにより、モータ２４が停止し、サンプル採取ランプＬ２が点灯する。図７の回路図は、サンプル採取状態における回路状態を示している。
　図５の状態において、連通孔１２には、所定量の新鮮な汚水が蓄えられている。本実施例では、連通孔１２の内部直径Ｍを開口部直径Ｎより大きくすることにより、６ｃｃの容積を確保している。
　　　【００２１】
　ボール弁体１１がサンプル採取状態になるとき、連通孔１２内に蓄えられていた汚水が、サンプル採取ポート３４から落下して図示しないサンプル用容器に、６ｃｃの汚水が採取される。汚水が落下するときに、連通孔１２が開口端に向かって滑らかなテーパ状になっているので、汚水が自重落下し易い。
　サンプル採取状態において、連通孔１２内に蓄えられている汚水が落下するときに、サンプル採取ポート３４でボール弁体１１を支持しているサンプリングシート３６に穿設されたサンプリングシート孔３６ａの直径を、エア抜きポート３３でボール弁体１１を支持しているエア抜きシート３５に穿設されたエア抜きシート孔３５ａの直径より大きくしているので、汚水が落下するときに空気を巻き込むことが少なく、汚水を速やかに落下させることができる汚水が泡立たないため、後で汚水を計量するときに便利である。
　　　【００２２】
　汚水が確実に落下する所定時間経過後、スイッチＳＷ１及びスイッチＳＷ２が共にＮＯに切り替えられ、モータ２４が反時計廻りに回転する。そして、ボール弁体１１が図２に示す全開状態位置にきたとき、全開スイッチ２８が２８ｂから２８ａへ切り替わる。これにより、モータ２４が停止し、全開ランプＬ１が点灯する。これにより、汚水の流れは通常状態に戻る。
　　　【００２３】
　以上詳細に説明したように、本実施例のボール弁によれば、入力ポート１５と出力ポート１６との中心線と直角をなす中心線に設けられたエア抜きポート３３とサンプル採取ポート３４を有し、入力ポート１５から出力ポート１６へ汚水を流している状態の後で、ボール弁体１１を回転させ連通孔１２により、エア抜きポート３３とサンプル採取ポート３４とを連通させ、連通孔１２内に蓄えられている汚水をサンプル採取ポート３４から流出させているので、新鮮な汚水を容易に採取することができる。
　　　【００２４】
　また、本実施例のボール弁によれば、　ボール弁体１１が、（１）入力ポート１５と出力ポート１６とを連通させる全開状態と、（２）エア抜きポート３３とサンプル採取ポート３４とを連通させるサンプル採取状態と、（３）全開状態とサンプル採取状態との中間位置にあって、入力ポート１５からの汚水の流れが弁内の隙間Ａに滞留していた汚水を洗い流す洗浄状態との各定位置を有し、ボール弁体１１を回転させるモータ２４を、全開状態からサンプル採取状態にボール弁体１１を回転させる途中で、洗浄状態に１０秒間、ボール弁体１１を停止させているので、弁内の隙間Ａに滞留していた汚水を洗い流すことができ、新鮮な汚水を採取することができる。
　　　【００２５】
　なお、本発明は前記実施例に限定されるものではなく、発明の要旨を逸脱しない範囲内において種々の変形、改良が可能であることはもちろんである。
　例えば、本実施例のボール弁では、図４または図５の位置でボール弁体１１を停止させていないが、マイクロスイッチを追加することにより、ボール弁体１１を図４または図５の位置で停止させれば、入力ポート１５と出力ポート１６を遮断すると共に、エア抜きポート３３とサンプル採取ポート３４とも遮断する全遮断状態を保持することも可能である。
　また、本実施例では、エア抜きポート３３を大気に開放しているが、エア抜きポート３３から圧縮空気を流入させることにより、サンプリングする汚水を強制的に排出してもよい。これにより、短時間で確実にサンプリングすることが可能となる。
　　　【００２６】
　　【発明の効果】
　以上説明したように、本発明のボール弁によれば、入力ポートと出力ポートとの中心線と直角をなす中心線に設けられたエア抜きポートとサンプル採取ポートを有し、入力ポートから出力ポートへ汚水を流している状態の後で、ボール弁体を回転させ連通孔により、エア抜きポートとサンプル採取ポートとを連通させ、連通孔内に蓄えられている汚水をサンプル採取ポートから流出させているので、所定量の新鮮な汚水を容易に採取することができる。
　　　【００２７】
　また、本発明のボール弁によれば、　ボール弁体が、（１）入力ポートと出力ポートとを連通させる全開状態と、（２）エア抜きポートとサンプル採取ポートとを連通させるサンプル採取状態と、（３）全開状態とサンプル採取状態との中間位置にあって、入力ポートからの汚水の流れが弁内に滞留していた液体を洗い流す洗浄状態との各定位置を有し、ボール弁体を回転させる電動機を、全開状態からサンプル採取状態にボール弁体を回転させる途中で、洗浄状態に所定時間、ボール弁体を停止させているので、弁内に滞留していた汚水を洗い流すことができ、人手を介せずに新鮮な汚水を採取することができる。
【図面の簡単な説明】
　　【図１】
　本発明のボール弁の全体の構成を示す断面図である。
　　【図２】
　ボール弁の弁部の全開状態を示す断面図である。
　　【図３】
　ボール弁の弁部の洗浄状態を示す断面図である。
　　【図４】
　ボール弁の弁部の洗浄状態からサンプル採取状態へ移る第１中間状態を示す断面図である。
　　【図５】
　ボール弁の弁部の洗浄状態からサンプル採取状態へ移る第２中間状態を示す断面図である。
　　【図６】
　ボール弁の弁部のサンプル採取状態を示す断面図である。
　　【図７】
　ボール弁の制御回路図である。
　　【図８】
従来のサンプル採取装置の構成を示す断面図である。
　【符号の説明】
１１　ボール弁体
１２　連通孔
１５　入力ポート
１６　出力ポート
１７，１８　弁シート
２４　モータ
２８　全開スイッチ
２９　洗浄スイッチ
３０　全閉スイッチ
３３　エア抜きポート
３４　サンプル採取ポート
３５　エア抜きシート
３６　サンプリングシート
Ａ　　隙間